(57)【要約】      （修正有）【課題】遊技機の横移動だけでなく、島台への取り付け・取り外しに際する労力も軽減できる遊技機運搬用台車を提供する。【解決手段】基台部２は、コ字形に連結されて前方が開口したキャスター２１付きの基枠２２と、遊技機の設置高さまで立設された側柱２３とを有する。基台部２の上部に設けられる載置部３は、遊技機の底部後側を収容する載置枠３１と、載置枠の左右両側部から後傾して立設された左右一対の支持アーム３５と、両支持アームの上部近傍に取り付けられて互いの間隔を拡縮させる左右一対の支持ゲート４とを有する。載置部３の後方には、複数本の移替ローラー５２を有する移替補助部５が設けられて、遊技機を直立姿勢で前後方向に移送することができる。【選択図】図１
0003213551.tif 000002
【実用新案登録請求の範囲】
【請求項１】
平坦な床面上を移動し得る基台部と、
前記基台部の上部に設けられて遊技機を後傾姿勢に保持する載置部と、
前記載置部の後方に設けられて遊技機を前後方向に移送させる移替補助部と、
を具備し、
前記基台部は、
左右両側部と後部とが上面視コ字形に連結されて前方に開口した基枠と、
前記基枠の下面四隅に取り付けられたキャスターと、
前記基枠の左右両側部から遊技機の設置高さまで立設された側柱と、
を有して、
前側左右のキャスターに付設されたストッパーの操作により任意の位置に停止可能に形成され、
前記載置部は、
遊技機の底部後側を収容し得る上面視矩形の開口を有して前記基台部の上部に結合された載置枠と、
前記載置枠の左右両側部から後傾して立設された左右一対の支持アームと、
前記両支持アームの上部近傍に取り付けられて互いの間隔を拡縮させる左右一対の支持ゲートと、
を有して、
前記両支持ゲートは、互いの間隔を拡げると、それらの間に遊技機を通過させることができる一方、互いの間隔を狭めると、それらの前面に遊技機の側部背面をもたせかけて遊技機を後傾姿勢に保持し得るように形成され、
前記移替補助部は、
前記載置部の後方に前記載置枠と天面の高さを揃えて設けられた左右一対の移替レールと、
前記両移替レールの間に、回転軸を左右方向に向け、高さを揃えて軸着された複数本の移替ローラーと、
を有して、
前記遊技機の底面を前記移替ローラーの上に載せることにより、遊技機を直立姿勢で前後方向に移送させ得るように形成された
ことを特徴とする遊技機運搬用台車。
【考案の詳細な説明】
【技術分野】
【０００１】
本考案は、パチンコ機等の遊技機を運搬するための台車に関する。
【背景技術】
【０００２】
パチンコホール等の遊技場においては、場内に設置された島台と呼ばれる構造物に、多数台のパチンコ遊技機が横方向に並べて取り付けられる。この島台に遊技機を取り付けたり、機種入替えのために取り外したりする際に、遊技機を載せて運ぶための台車が用いられる。かかる用途に供される台車として、例えば特許文献１、２等に開示されたものが公知である。
【先行技術文献】
【特許文献】
【０００３】
【特許文献１】特開２００９−１７８３７９号公報
【特許文献２】登録実用新案第３１６８５４０号公報
【考案の概要】
【考案が解決しようとする課題】
【０００４】
遊技場における遊技機の一般的な入替え作業は、
（１）保管倉庫または輸送トラックから遊技場内に新しい遊技機を搬入したり、取り外した古い遊技機を遊技場から搬出したりする作業
（２）島台の設置枠に遊技機を据え付けたり、島台から取り外したりする作業
に大別される。これらのうち（１）のような横方向の運搬作業には、前記従来の台車を好適に利用することができる。しかし、前記従来の台車は、遊技機を低い位置に載置する構造なので、遊技機を設置枠の高さまで上げ下ろしする（２）の作業においては、その労力軽減にほとんど寄与しない。
【０００５】
特に近年は、遊技機に組み付けられるギミックの多様化や大型液晶パネルの採用等によって、従来２０〜３０ｋｇであった遊技機の重量が、機種によっては５０kｇ以上になるものも出てきている。加えて、重量バランスの不均等な機種も増えつつある。このような遊技機の重量化は、遊技機の入替え作業を行う遊技場の従業員等にとって大きな負担になるので、その労力軽減が求められるところである。
【０００６】
また、島台の前方には通常、遊技機１台ごとの位置に合わせて床面固定式の椅子が設置されているので、作業者が遊技機を島台に載せたり島台から下ろしたりする際には、この椅子が邪魔になって安定した作業姿勢を取りにくい、という事情もある。
【０００７】
本考案は、かかる事情に鑑みてなされたもので、遊技機の横方向の運搬だけでなく、島台への取り付けや島台からの取り外しに際しても作業者の労力を軽減することのできる遊技機運搬用台車を提供するものである。
【課題を解決するための手段】
【０００８】
前述の目的を達成するために、本考案の遊技機運搬用台車は、平坦な床面上を移動し得る基台部と、前記基台部の上部に設けられて遊技機を後傾姿勢に保持する載置部と、前記載置部の後方に設けられて遊技機を前後方向に移送させる移替補助部と、を具備し、前記基台部は、左右両側部と後部とが上面視コ字形に連結されて前方に開口した基枠と、前記基枠の下面四隅に取り付けられたキャスターと、前記基枠の左右両側部から遊技機の設置高さまで立設された側柱と、を有して、前側左右のキャスターに付設されたストッパーの操作により任意の位置に停止可能に形成され、前記載置部は、遊技機の底部後側を収容し得る上面視矩形の開口を有して前記基台部の上部に結合された載置枠と、前記載置枠の左右両側部から後傾して立設された左右一対の支持アームと、前記両支持アームの上部近傍に取り付けられて互いの間隔を拡縮させる左右一対の支持ゲートと、を有して、前記両支持ゲートは、互いの間隔を拡げると、それらの間に遊技機を通過させることができる一方、互いの間隔を狭めると、それらの前面に遊技機の側部背面をもたせかけて遊技機を後傾姿勢に保持し得るように形成され、前記移替補助部は、前記載置部の後方に前記載置枠と天面の高さを揃えて設けられた左右一対の移替レールと、前記両移替レールの間に、回転軸を左右方向に向け、高さを揃えて軸着された複数本の移替ローラーと、を有して、前記遊技機の底面を前記移替ローラーの上に載せることにより、遊技機を直立姿勢で前後方向に移送させ得るように形成された、との構成を採用する。
【考案の効果】
【０００９】
前述のように構成される本考案の遊技機運搬用台車は、遊技機を後傾させて支持ゲートにもたせかけた姿勢で保持するように構成されているので、重量が増大し、形状が複雑化して重量バランスが不均等になった遊技機であっても、安定的に保持して、任意の場所まで安全に運搬することができる。
【００１０】
また、載置部および移替補助部が遊技機を島台に設置する高さに設けられているので、島台の前方に設置された床面固定式の椅子を跨ぐようにして島台の正面に台車を据え付け、移替補助部に設けられた移替ローラーに遊技機を載せて略水平に移送するという態様で、島台に遊技機を据え付けたり島台から取り外したりする作業を安全かつ効率的に行うことができる。これにより、遊技機の入替え作業に要する労力が大幅に軽減される。
【図面の簡単な説明】
【００１１】
【図１】本考案の実施の形態に係る遊技機運搬用台車を斜め前方から見た斜視図である。
【図２】前記遊技機運搬用台車を斜め後方から見た斜視図である。
【図３】前記遊技機運搬用台車の正面図である。
【図４】前記遊技機運搬用台車の上面図である。
【図５】前記遊技機運搬用台車のＡ−Ａ断面図である。
【図６】前記遊技機運搬用台車の支持アームに取り付けられた可能ゲートの動きを説明する部分斜視図である。
【図７】前記遊技機運搬用台車を用いて遊技機を島に設置する際の作業状態を示す斜視図である。
【考案を実施するための形態】
【００１２】
以下、本考案の実施の形態について、図面を参照しつつ説明する。
【００１３】
図１〜図７は、本考案の実施の形態にかかる遊技機運搬用台車（以下、単に「台車」という場合がある。）１を示している。この台車１は、平坦な床面上を移動し得る基台部２と、基台部２の上部に設けられて遊技機Ｐを後傾姿勢に保持する載置部３と、載置部３の後方に設けられて遊技機Ｐを前後方向に移送させる移替補助部５と、を一体的に結合した構成を備えている。なお、以下の説明において、部位・部材の位置関係や動作の向きを表す際には、台車１に遊技機Ｐを載せた状態（図３、図５、図７）を基準にして、遊技機Ｐの正面になる側（図３）を前、背面になる側を後と呼び、その前側から後側に向かう向きを基準にして左右を定めることとする。
【００１４】
基台部２は、下面四隅に重量物運搬用のキャスター２１が取り付けられた基枠２２と、基枠２２から立設された側柱２３と、を有している。基枠２２および側柱２３は、メッキ処理および塗装が施された鋼製の角パイプを用いて形成されており、角パイプの切断端面には樹脂製の保護キャップが嵌挿されている。基枠２２は、左右の両側枠材と後枠材とが上面視コ字形に連結されて、前方に開口した形状をなしている。キャスター２１は４輪全て自在キャスターで、±１０ｍｍ程度の高さ調節が可能なアジャスターを介して、基枠２２の四隅に添設されたキャスター取付プレート２４に取り付けられている。４輪のうち前側左右の２輪には、爪先での操作が可能なストッパー２５付きのキャスター２１が用いられている。
【００１５】
側柱２３は、基枠２２の両側枠材２６から左右２本ずつ垂直に立ち上げられており、その上端は、遊技機Ｐを据え付ける島台９のテーブル（カウンター）９１の高さ付近に達している。側柱２３と基枠２２との接合部には三角形の補強鋼板２７が溶接されている。
【００１６】
載置部３は、遊技機Ｐの底部を保持する載置枠３１と、載置枠３１の左右両側部から立設された左右一対の支持アーム３５と、両支持アーム３５の上部近傍に取り付けられた左右一対の支持ゲート４と、を有している。
【００１７】
載置枠３１は、左右一対の側枠材３２の間に前枠材３３と後枠材３４とを相対させて結合した、上面視矩形の開口を有する横長の枠体である。各枠材は、メッキ処理および塗装が施された鋼製の角パイプを用いて形成されており、端面には保護キャップが嵌挿されている。基台部２の側柱２３の上端に側枠材３２が水平に結合され、その側枠材３２の後部が、後枠材３４よりもさらに後方まで延び出している。この載置枠３１は、図３に示すように、開口幅が遊技機Ｐの横幅よりも若干大きく、また図５に示すように、開口の奥行きが遊技機Ｐの底部の厚みよりも若干小さくなるように設計されていて、その開口内に遊技機Ｐの底部後側を斜めに載せかけて収容することができる。
【００１８】
支持アーム３５は、これも鋼製の角パイプからなる部材で、載置枠３１内に底部を斜めに載せかけた遊技機Ｐの側部に沿うように、載置枠３１の側枠材３２上に後傾して立設されている。例示形態における支持アーム３５の後傾角度は垂直から約１１度で、支持アーム３５の上端は遊技機Ｐの高さの半分付近まで達している。載置枠３１の側枠材３２と支持アーム３５との接合部には三角形の補強鋼板３６が溶接されている。
【００１９】
支持ゲート４は、図６に示すように、縦長矩形のステンレス鋼板の両側縁を互いに反対向きに折曲して、両折曲縁４１、４２の間に支持板部４３を形成した部材である。支持板部４３には、Ｌ字形のガイド孔４４が３個所に形成されている。この支持ゲート４が、図２に示すように、外側の折曲縁４１を前方に向けて支持アーム３５の背面に当てがわれ、各ガイド孔４４に挿入された取付ネジ４５および大径の座金４６によって支持アーム３５に取り付けられ、支持アーム３５の背面に沿って摺動し得るように保持される。
【００２０】
ガイド孔４４は、図６に示すように、支持アーム３５に取り付けられた状態で屈曲点が下になり、屈曲点の外側が斜め上向きに長く延び、内側が斜め上向きに短く延びるように形成されている。そのため、取付ネジ４５がガイド孔４４の最も外側に係合するように支持ゲート４を摺動させると（図６右）、支持ゲート４が支持アーム３５の内側へせり出した状態で仮止めされる。左右の支持ゲート４をこの状態に仮止めすると、図３および図５に示したように、載置枠３１内に底部を斜めに載せかけた遊技機Ｐの側部背面を両支持ゲート４の支持板部４３にもたせかけることができる。このような後傾姿勢で遊技機Ｐを載置部３に保持すれば、遊技機Ｐを安定した状態で運搬することができる。特に、形状が複雑化するなどして重量バランスが不均等になった遊技機Ｐの場合は、直立姿勢で台車１に載せるよりもはるかに安全に運搬することができる。
【００２１】
一方、取付ネジ４５がガイド孔４４の最も内側に係合するように支持ゲート４を摺動させると（図６左）、支持ゲート４が支持アーム３５の外側へせり出した状態に仮止めされる。なお、支持ゲート４の内側の折曲縁４２に形成された長矩形の孔部４７は、このときに内側の折曲縁４２と座金４６とが干渉するのを避けるための配慮である。支持ゲート４が支持アーム３５の外側へせり出すと、両支持ゲート４の間隔が遊技機Ｐの横幅よりも広くなって、それらの間に遊技機Ｐを通過させることができるようになる。
【００２２】
その状態から遊技機Ｐを台車１の後方へ移送させやすくするために設けられているのが移替補助部５である。移替補助部５は、載置部３の後方に設けられた左右一対の移替レール５１と、両移替レール５１の間に軸着された複数本（例示形態では４本）の移替ローラー５２と、を含んで構成される。
【００２３】
移替レール５１は、溝形断面の鋼材を加工して形成され、その開口が下向きになるように、載置枠３１の後枠材３４の背面に接合されている。また、載置枠３１の両側枠材３２を後方に延長した部分の下面に支承材５３が接合され、その支承材５３が移替レール５１の後部を下側から支持している。移替レール５１の天面は、載置枠３１の天面と同じ高さに揃えられている
移替ローラー５２は、重量物の搬送コンベア等に利用される鋼製の長円柱形ローラーである。その移替ローラー５２が、回転軸を左右方向に向け、搬送面が移替レール５１の天面よりもわずかに高くなるように、両移替レール５１の間に高さを揃えて軸着されている。したがって、左右の支持ゲート４の間隔を拡げた状態で、移替ローラー５２の上に遊技機Ｐの底面を載せると、遊技機Ｐを直立させた状態で台車１の前後方向に軽い力で移送することができる。なお、載置枠３１の両側枠材３２を後方に延長した部分の上面には、移替ローラー５２上を移送される遊技機Ｐが側方に逸脱して落下するのを防ぐために、短寸の角パイプからなる落下防止ガイド５４が取り付けられている。
【００２４】
この台車１を用いた遊技機Ｐの入替え作業について、図７を参照しつつ説明する。
【００２５】
まず、旧い遊技機Ｐを取り外す場合は、空の台車１を島台９の前に運び、床面に固定された椅子８の背もたれを回しながら、その椅子８を跨ぐようにして台車１を椅子８に近づける。椅子８の背もたれを戻しながら台車１の背面を設置枠９２の正面に向け、台車１の移替補助部５を島台９のテーブル９１に当接させる。ここで、島台９のテーブル９１と移替補助部５との間に高低差があれば、キャスター２１のアジャスターを調節して高さを揃える。高さが揃えば、キャスター２１のストッパー２５を操作して台車１を固定する。
【００２６】
ここで、支持アーム３５に取り付けた支持ゲート４を外側に摺動させ、両支持ゲート４の間を遊技機Ｐが通過できるように拡げておく。そして、島台９の設置枠９２から取り外した遊技機Ｐを、直立姿勢のままテーブル９１の前縁まで引き出し、移替補助部５の移替ローラー５２に載せて、前方の載置枠３１まで移送する。遊技機Ｐの底部が載置枠３１の開口に収まったら、遊技機Ｐを手で支えながら両支持ゲート４を内側に摺動させ、その支持ゲート４に遊技機Ｐの背面をもたせかける。これで、遊技機Ｐが台車１上に安定的に保持されるので、キャスター２１のストッパー２５を外し、椅子８の背もたれを回しながら台車１を引き出して、遊技機Ｐを搬出する。
【００２７】
新しい遊技機Ｐを取り付ける場合は、前述とは反対の手順になる。すなわち、新しい遊技機Ｐを載せた台車１を島台９の前に運び、椅子８の背もたれを回しながら、その椅子８を跨ぐように台車１を近づける。椅子８の背もたれを戻しながら台車１の背面を設置枠９２の正面に向け、台車１の移替補助部５を島台９のテーブル９１に当接させる。必要に応じてキャスター２１のアジャスターを調節し、島台９のテーブル９１と移替補助部５との高さが揃えば、キャスター２１のストッパー２５を操作して台車１を固定する。
【００２８】
そして、載置枠３１の開口に後傾姿勢で保持されている遊技機Ｐを立て起こし、遊技機Ｐを手で支えながら、支持ゲート４を外側に摺動させて両支持ゲート４の間を拡げる。続いて、載置枠３１上の遊技機Ｐを移替補助部５の移替ローラー５２に載せ、後方に移送して、島台９のテーブル９１に載せ替える。島台９に載せられた遊技機Ｐを設置枠９２に収めたら、キャスター２１のストッパー２５を外し、椅子８の背もたれを回しながら空の台車１を引き出す。
【００２９】
このように、本考案の遊技機運搬用台車１によれば、移替補助部５を島台９のテーブル９１に当接させた状態で、遊技機Ｐを前後方向に移送しながら、遊技機Ｐの入替え作業を安全かつ効率的に行うことができる。また、遊技機Ｐを載せたまま一時的に保管しておく際にも利用可能である。
【００３０】
なお、本考案の技術的範囲は、例示した実施の形態によって限定的に解釈されるべきものではなく、実用新案登録請求の範囲の記載に基づいて概念的に解釈されるべきものである。本考案の実施に際しては、例示形態と実質的に同様の作用効果が得られる範囲において、台車を構成する部材の形状や材質、加工寸法や角度、部材同士の接合形態等を適宜改変するなどしても差し支えない。
【産業上の利用可能性】
【００３１】
本考案の構成を具備する台車は、パチンコ遊技機だけでなく、スロット（パチスロ）遊技機その他の遊技機や、これに類する各種の設備機器類を運搬して、所定の高さに取り付けたり取り外したりする作業に幅広く利用することができる。
【符号の説明】
【００３２】
１  遊技機運搬用台車
２  基台部
２１  キャスター
２２  基枠
２３  側柱
２５  ストッパー
２６  側枠材
２７  補強鋼板
３  載置部
３１  載置枠
３２  側枠材
３３  前枠材
３４  後枠材
３５  支持アーム
３６  補強鋼板
４  支持ゲート
４１  折曲縁
４２  折曲縁
４３  支持板部
４４  ガイド孔
４５  取付ネジ
４６  座金
４７  孔部
５  移替補助部
５１  移替レール
５２  移替ローラー
５３  支承材
５４  落下防止ガイド
８  椅子
９  島台
９１  テーブル
９２  設置枠
Ｐ  遊技機
【図１】
0003213551.tif 000003
【図２】
0003213551.tif 000004
【図３】
0003213551.tif 000005
【図４】
0003213551.tif 000006
【図５】
0003213551.tif 000007
【図６】
0003213551.tif 000008
【図７】
0003213551.tif 000009